(57)【要約】【課題】耐火断熱機能を具えた骨壺の提供。【解決手段】けい酸カルシウム及び数層の断熱材で形成された断熱層が、金属耐火層の外部を被覆し、耐火断熱機能を達成し、金属耐火層がカバーとベースで組成され、該カバーとベースの外部が断熱層で被覆され、且つ断熱層の外側がさらに鉱石材料で形成された外層で被覆され、蓋体がカバーを被覆し、座体がベースを被覆し、こうして組み合わされてなる骨壺とされ、該断熱層がけい酸カルシウム或いは酸化マグネシウム等の耐火材料で形成され、断熱機能を有し、外部の熱の金属耐火層のベースへの伝導を防止し、該金属耐火層のカバーの凸円部に通気小孔が設けられ、該通気小孔が凸円部の側壁面に貫通し、ベース内側の気体が通気小孔により断熱層と外層を通り排出される。【選択図】　　　　図３
0003097107.tif 000002
【実用新案登録請求の範囲】
【請求項１】
金属耐火層、断熱層及び外層で組成され、該金属耐火層がカバーとベースを具え、その外部に断熱層が設けられ、該断熱層の外側がさらに鉱石材料で形成された外層で被覆され、外層が蓋体と座体を具え、外層の蓋体が金属耐火層のカバーを被覆し、且つ外層の座体が金属耐火層のベースを被覆してなる耐火断熱機能を具えた骨壺において、
該骨壺の外層の蓋体内部に金属耐火層のカバーが収容され、該カバー中に断熱層が設置され、座体内部と金属耐火層のベース外部の間にも断熱層が設けられ、蓋体が座体の上を被覆し、断熱層が完全に金属耐火層を被覆することにより外部の熱の金属耐火層中への進入が防止されることを特徴とする、耐火断熱機能を具えた骨壺。
【請求項２】
請求項１記載の耐火断熱機能を具えた骨壺において、断熱層がけい酸カルシウムで形成されたことを特徴とする、耐火断熱機能を具えた骨壺。
【請求項３】
請求項１記載の耐火断熱機能を具えた骨壺において、断熱層が酸化マグネシウムで形成されたことを特徴とする、耐火断熱機能を具えた骨壺。
【請求項４】
請求項１記載の耐火断熱機能を具えた骨壺において、金属耐火層のカバーに凸円部が凸設され、並びに凸円部に下向きに通気小孔が設けられ、且つ通気小孔が凸円部の側壁面を貫通することを特徴とする、耐火断熱機能を具えた骨壺。
【考案の詳細な説明】
【０００１】
【考案の属する技術分野】
本考案は一種の耐火断熱機能を具えた骨壺に係り、特に、けい酸カルシウム及び複数層の断熱材で形成された断熱層が、金属耐火層外部を被覆し、耐火断熱機能を達成し、けい酸カルシウム層が金属層外部を被覆することにより、金属層による外部の熱の吸収を減らし、金属層内部の骨灰の高温による完全灰化を防止し、骨灰の完全性を保持でき、有効に耐火の機能を達成する、耐火断熱機能を具えた骨壺に関する。
【０００２】
【従来の技術】
近年、人々の環境保護意識はますます強くなっており、西洋文化の影響により、葬儀を行う時は従来の土葬から、土地使用量を減らせ、経済的に符合する火葬へと変化してきた。火葬後の骨灰は骨壺に収容され、並びに骨壺が納骨堂に収納され、整然とした美観が得られるよう、骨壺は適当に管理される。これによりますます多くの納骨堂が構築されているが、近年、納骨堂の火災が頻繁に発生し、納骨堂内に収納された骨壺が火災の高温により破裂、毀損し骨灰が骨壺中で高温で焼かれて灰質化し、完全な骨灰を保存できなくなり、最終的に骨灰が判別不能となる状況を発生している。現在市販されている骨壺には、大理石のような天然石材或いは人造材料を焼結してなり、このような骨壺の材料は耐火効果がなく、ただ骨灰を収納する機能しかない。
【０００３】
骨壺に耐火性を付与するため、特許文献１のような骨壺が提供されている。それは、鉱石で形成された外壺と外蓋、及び耐火耐湿材料で形成された内壺と内蓋を具え、内壺底面周辺と上面が接触し、且つフランジの上面に密封材が設けられ、内蓋が内壺よりやや大きく、且つ内蓋が周辺の四つの突出するＬ係止部がフランジのフランジ内に対応設置されたＬ溝中に係合し、外蓋内面に上蓋が設けられ、上蓋の全体内面と内蓋の上面と内壺のフランジが連接し、且つ上蓋が密封材料とされ、二重の密封の機能を達成している。
【０００４】
上述の骨壺は耐火及び防湿の機能を有し、二重の密封の機能を達成するが、火災が起こった時、外壺の鉱石が熱を受けると、内部に高温を伝導し、この骨壺は二重に密封されているため、高温が内壺中に集中し、この状況にあって、温度が続けて上昇すると、内壺中に集中した熱エネルギーがますます多くなり、内壺中の空気を熱膨張させ、爆発を発生し、骨壺を不安定な状況とする。骨壺は高温状態とされると、骨壺内の骨灰もまた徐々に灰化し、完全な骨灰を保存できなくなり、これは周知の骨壺が密封を強調したために起こる問題である。前述の骨壺は構造設計が不当であるため、高温に遭遇すると壺中に熱気が溜まり、骨壺の保存が極めて不安定となり保障がなくなり、これが改善を求められる欠点である。
【０００５】
【特許文献１】
台湾実用新案登録出願第８７２１２１１２号明細書
【０００６】
【考案が解決しようとする課題】
本考案は従来の骨壺の欠点を解決するため、耐火機能と通気機能を具え、骨壺内部に熱気が溜まるのを防止でき、並びに多層の耐火断熱材により耐火目的を達成する骨壺を提供するものである。
【０００７】
本考案の主要な目的は、骨壺内部の金属耐火層外側を一層の断熱層で被覆し、断熱層により外界の熱を遮断し、熱が金属耐火層に伝わらないようにすることにある。
【０００８】
本考案の次の目的は、該断熱層をけい酸カルシウム或いは酸化マグネシウム等の耐燃材料で形成することにある。
本考案のさらに別の目的は、断熱層外部にさらに鉱石材質の外層座体及び外蓋体を付加し、これにより断熱層と耐火層を完全に被覆することにある。
【０００９】
【課題を解決するための手段】
請求項１の考案は、金属耐火層、断熱層及び外層で組成され、該金属耐火層がカバーとベースを具え、その外部に断熱層が設けられ、該断熱層の外側がさらに鉱石材料で形成された外層で被覆され、外層が蓋体と座体を具え、外層の蓋体が金属耐火層のカバーを被覆し、且つ外層の座体が金属耐火層のベースを被覆してなる耐火断熱機能を具えた骨壺において、
該骨壺の外層の蓋体内部に金属耐火層のカバーが収容され、該カバー中に断熱層が設置され、座体内部と金属耐火層のベース外部の間にも断熱層が設けられ、蓋体が座体の上を被覆し、断熱層が完全に金属耐火層を被覆することにより外部の熱の金属耐火層中への進入が防止されることを特徴とする、耐火断熱機能を具えた骨壺としている。
請求項２の考案は、請求項１記載の耐火断熱機能を具えた骨壺において、断熱層がけい酸カルシウムで形成されたことを特徴とする、耐火断熱機能を具えた骨壺としている。
請求項３の考案は、請求項１記載の耐火断熱機能を具えた骨壺において、断熱層が酸化マグネシウムで形成されたことを特徴とする、耐火断熱機能を具えた骨壺としている。
請求項４の考案は、請求項１記載の耐火断熱機能を具えた骨壺において、金属耐火層のカバーに凸円部が凸設され、並びに凸円部に下向きに通気小孔が設けられ、且つ通気小孔が凸円部の側壁面を貫通することを特徴とする、耐火断熱機能を具えた骨壺としている。
【００１０】
【考案の実施の形態】
図１、２、３に示されるのは、本考案の斜視図、分解斜視図及び側面断面分解図である。図示されるように、本考案の骨壺１は金属耐火層２、断熱層３及び外層４で組成されている。
【００１１】
該金属耐火層２は不燃性で耐衝撃の金属材料で形成され、ベース２１及びカバー２２で組成され、該ベース２１内部は収容空間２１１とされ、収容空間２１１の上縁２１２内壁面に複数の係止手段２１３が設けられ、並びに上縁２１２より外向きに環状の翼板２１４が延伸され、上縁２１２の上がカバー２２で被覆され、カバー２２の底部が下向きに突出する凸円部２２１とされ、凸円部２２１の側壁面２２１１に環状に係合手段２２１２が設けられ、該凸円部２２１が収容空間２１１中に嵌入し、並びに係合手段２２１２と係止手段２１３の係合により、カバー２２がベース２１の上に固定される。
【００１２】
該断熱層３は金属耐火層２のベース２１外を被覆するほか、またカバー２２中にも設置され、該断熱層３はけい酸カルシウム或いは酸化マグネシウム等耐熱、断熱材料で形成され、並びに良好な耐燃性を有している。
該外層４は断熱層３外部を被覆し、それは座体４１と蓋体４２を具え、該蓋体４２中に凹溝４２１が設けられ、且つ外層４は鉱石材料、例えば大理石で形成される。
【００１３】
上述の構成要件中、金属耐火層２のベース２１外部は断熱層３で被覆され、さらに断熱層３の外部が外層４の座体４１で被覆され、座体４１、断熱層３及びベース２１が組み合わされた後に、耐火、耐熱の機能を有する。座体４１の上は蓋体４２で被覆され、蓋体４２の凹溝４２１にカバー２２が収容され、該カバー２２中に断熱層３が設けられ、断熱層３によりカバー２２が耐火、耐熱の機能を有するものとされる。
【００１４】
さらに図４は本考案の側面断面図である。そのうち、骨壺１の金属耐火層２のベース２１の収容空間２１１中に骨灰が収容された後、カバー２２がベース２１の上を被覆し、並びにカバー２２の凸円部２２１側壁面２２１１の係合手段２２１２が収容空間２１１の上の係止手段２１３と係合させられ、さらに蓋体４２がカバー２２の上方を被覆し、こうして骨壺１が全体構造が完成する。
【００１５】
図５は本考案の構造局部断面拡大図であり、骨壺１中、金属耐火層２のカバー２２の凸円部２２１に下向きに通気小孔２２１３が設けられ、該通気小孔２２１３が凸円部２２１の側壁面２２１１を貫通し、金属耐火層２のベース２１中の気体を、通気小孔２２１３により側壁面２２１１を通して排出させ、該気体は外層４の座体４１及び蓋体４２の間の間隙に沿って外向きに排出され、これによりベース２１中に過多の熱気が溜まるのを防止し、空気の膨張による張力の発生を防止できる。
【００１６】
【考案の効果】
以上の説明は、本考案の実施範囲を限定するものではなく、本考案に基づきなしうる細部の修飾或いは改変は、いずれも本考案の請求範囲に属するものとする。且つ本考案の骨壺は耐火機能を具備し、並びに金属耐火層のベース中に熱気が発生するのを防止し、骨灰の完全性を確保し、骨灰が災害中に毀損或いは破壊されるのを防止できる。
【００１７】
総合すると、本考案の耐火断熱機能を具えた骨壺は、使用時に確実にその実用的な機能と目的を達成し、ゆえに本考案は実用性に優れた考案であり、実用新案登録の要件に符合する。
【図面の簡単な説明】
【図１】本考案の斜視図である。
【図２】本考案の分解斜視図である。
【図３】本考案の側面断面分解図である。
【図４】本考案の側面断面図である。
【図５】本考案の構造局部断面拡大図である。
【符号の説明】
１　骨壺
２　金属耐火層
２１　ベース
２２　カバー
２１１　収容空間　　　　　２２１　凸円部
２１２　上縁　　　　　　　２２１１　側壁面
２１３　係止手段　　　　　２２１２　係合手段
２１４　翼板　　　　　　　２２１３　通気小孔
３　断熱層
４　外層
４１　座体　　　　　　　　４２１　凹溝
４２　蓋体
【図１】
0003097107.tif 000003
【図２】
0003097107.tif 000004
【図３】
0003097107.tif 000005
【図４】
0003097107.tif 000006
【図５】
0003097107.tif 000007